(57)【特許請求の範囲】
【請求項１】
開閉扉と、該開閉扉を開方向に付勢する弾性部材と、電気的駆動手段とを備え、該電気的駆動手段が前記開閉扉に対して前記弾性部材の付勢よりも強い力で押圧作用することにより前記開閉扉が閉状態となり、該電気的駆動手段が作動して前記開閉扉に対しての押圧が解かれることにより前記開閉扉は前記弾性部材の付勢に従って開動し、その最大開動限は遊技機の幅寸法よりも大きく設定されていることを特徴とする遊技機の演出装置。
【請求項２】
開閉扉と、該開閉扉に対し相対的に可動するように設けられた開閉仲介部材と、前記開閉扉と前記開閉仲介部材との間に設けられていて前記開閉扉を閉方向に付勢する第１弾性部材と、前記開閉扉を開方向に付勢する第２弾性部材と、電気的駆動手段とを備え、該電気的駆動手段が前記開閉仲介部材を押圧していることにより前記開閉扉は前記第２弾性部材の付勢に抗して閉状態にあり、該電気的駆動手段が作動して前記開閉仲介部材の押圧が解かれることにより前記開閉扉は前記第２弾性部材の付勢に従って開動し、前記開閉扉が閉状態であるときに該開閉扉を強制的に開けようとする外力に対しては前記第１弾性部材が弾性変形するようにし、前記開閉扉は前記開閉仲介部材に対して可動することを特徴とする請求項１に記載した遊技機の演出装置。
【請求項３】
開閉可能に軸支された開閉扉と、該開閉扉と同軸に軸支されていて該開閉扉に対し相対的に可動するように設けられた開閉仲介部材と、前記開閉扉と前記開閉仲介部材との間に設けられていて前記開閉扉を閉方向に付勢する第１弾性部材と、前記開閉扉を開方向に付勢する第２弾性部材と、電気的駆動手段とを備え、該電気的駆動手段が前記開閉仲介部材を押圧していることにより前記開閉扉は前記第２弾性部材の付勢に抗して閉状態にあり、該電気的駆動手段が作動して前記開閉仲介部材の押圧が解かれることにより前記開閉扉は前記第２弾性部材の付勢に従って開動し、前記開閉扉が閉状態であるときに該開閉扉を強制的に開けようとする外力に対しては前記第１弾性部材が弾性変形するようにし、前記開閉扉は前記開閉仲介部材に対して可動することを特徴とする請求項１に記載した遊技機の演出装置。
【請求項４】
前記開閉扉は左右一対設けられ、該開閉扉内に前記電気的駆動手段により可動する可動体を配設し、該可動体が開いた両開閉扉の間から突出するようにしたことを特徴とする請求項１〜３のいずれかに記載した遊技機の演出装置。
【請求項５】
前記開閉扉に連動して開閉動する天板を設けたことを特徴とする請求項１〜４のいずれかに記載した遊技機。
【発明の詳細な説明】
【技術分野】
【０００１】
本発明は、パチンコ遊技機，アレンジボール遊技機，雀球遊技機等のメダルまたは遊技球を遊技媒体として用いる遊技機であって、特には、該遊技機の前面に設けられる大型の演出装置に関するものである。
【背景技術】
【０００２】
近年のパチンコ遊技機は、一般にデザイン性の観点から前面枠（透明板保持枠）の上部両側縁を前方に大きく張り出させ、その張出部に電飾装置やスピーカ等の遊技演出部材を設け、遊技状況に応じて該遊技演出部材を作動させることで、煌びやかな、或いは迫力のある演出がなされ、遊技者をそのゲームの世界に引き込むようにしている。
【０００３】
一方、下記特許文献１には、こうした装飾性・演出効果等を向上させるために、遊技機の前方に突出可能なるように遊技演出部材を設けた遊技機が示されている。また、この特許文献１の図７には遊技機の上部の左右に一対の遊技演出部材（音声演出用のスピーカ）を開閉扉のように軸支した遊技機が示され、該遊技演出部材をモータまたは手動で前方に開き得るようにしている。
【先行技術文献】
【特許文献】
【０００４】
【特許文献１】特開２００８−２４５８４６号公報
【発明の概要】
【発明が解決しようとする課題】
【０００５】
ところで、上記特許文献１に示された遊技機のように、前面側に開閉可能な遊技演出部材が設けられた遊技機では、遊技者がいたずらや好奇心から、該遊技演出部材を直接手で触り、該遊技演出部材を力ずくで開閉させるおそれがあり、そうすると、該遊技演出部材の内部のモータと繋がる歯車やラック歯等が破損してしまうおそれがあった。また、モータで作動している遊技演出部材に遊技者が手を差し出すと、その手が遊技演出部材に挟まれて思わぬ怪我をしてしまうおそれがあった。その対策としては、異常を検知し得るセンサーを設け、その信号によりモータを自動停止させる等、安全装置を設けることが考えられたが、このような安全装置を設けると製造コストが高くなるという問題があるとともに、十分な安全対策が採り難いという問題がある。
【０００６】
また、一対の開閉扉（遊技演出部材）を左右に開くように設けた遊技機では、該開閉扉の開き角度を機枠のサイズ（遊技機の幅寸法）を超えて大きく設定すると、該開閉扉が隣接する遊技機の開閉扉（遊技演出部材）と衝突して破損するおそれや、隣の遊技者からのタバコの煙を阻止するために隣接する遊技機間に設けられている分煙ボードに該開閉扉が当たって傷を付けるおそれがあるといった問題がある。このため、従来では演出効果を増大させるために該開閉扉の開き角度を大きく設定するといったことができなかった。
【課題を解決するための手段】
【０００７】
本発明に係る遊技機の演出装置は上記問題点を解決しようとするもので、開閉扉と、該開閉扉を開方向に付勢する弾性部材と、電気的駆動手段とを備え、該電気的駆動手段が前記開閉扉に対して前記弾性部材の付勢よりも強い力で押圧作用することにより前記開閉扉が閉状態となり、該電気的駆動手段が作動して前記開閉扉に対しての押圧が解かれることにより前記開閉扉は前記弾性部材の付勢に従って開動し、その最大開動限は遊技機の幅寸法よりも大きく設定されていることを特徴とする。
このため、開閉扉が最大限に大きく開かれ、インパクトのある演出をすることができる。即ち、遊技場における遊技機の設置状況（開閉扉を備えた遊技機が隣接されているかどうか、又は、分煙ボードが設置されているかどうか等）に関わらず、開閉扉を外方に最大限大きく開くことが可能となるので、さらにインパクトのある演出がされる。
【０００８】
また、本発明に係る遊技機の演出装置は、開閉扉と、該開閉扉に対し相対的に可動するように設けられた開閉仲介部材と、前記開閉扉と前記開閉仲介部材との間に設けられていて前記開閉扉を閉方向に付勢する第１弾性部材と、前記開閉扉を開方向に付勢する第２弾性部材と、電気的駆動手段とを備え、該電気的駆動手段が前記開閉仲介部材を押圧していることにより前記開閉扉は前記第２弾性部材の付勢に抗して閉状態にあり、該電気的駆動手段が作動して前記開閉仲介部材の押圧が解かれることにより前記開閉扉は前記第２弾性部材の付勢に従って開動し、前記開閉扉が閉状態であるときに該開閉扉を強制的に開けようとする外力に対しては前記第１弾性部材が弾性変形するようにし、前記開閉扉は前記開閉仲介部材に対して可動することを特徴とする。
このため、遊技者が開閉扉を力ずくで開閉しても破損するおそれがなく、遊技者が開閉扉に手を挟んで怪我をするといったこともない。また、開閉扉が最大限に大きく開かれインパクトのある演出をすることができる。
【０００９】
また、本発明に係る遊技機の演出装置は、開閉可能に軸支された開閉扉と、該開閉扉と同軸に軸支されていて該開閉扉に対し相対的に可動するように設けられた開閉仲介部材と、前記開閉扉と前記開閉仲介部材との間に設けられていて前記開閉扉を閉方向に付勢する第１弾性部材と、前記開閉扉を開方向に付勢する第２弾性部材と、電気的駆動手段とを備え、該電気的駆動手段が前記開閉仲介部材を押圧していることにより前記開閉扉は前記第２弾性部材の付勢に抗して閉状態にあり、該電気的駆動手段が作動して前記開閉仲介部材の押圧が解かれることにより前記開閉扉は前記第２弾性部材の付勢に従って開動し、前記開閉扉が閉状態であるときに該開閉扉を強制的に開けようとする外力に対しては前記第１弾性部材が弾性変形するようにし、前記開閉扉は前記開閉仲介部材に対して可動することを特徴とする。
このため、遊技者が開閉扉を力ずくで開閉しても破損するおそれがなく、遊技者が開閉扉に手を挟んで怪我をするといったことがないとともに、開閉扉の開き角度を可能な限り大きくすることで、インパクトのある演出をすることが可能となる。
【００１０】
また、本発明は前記演出装置において、前記開閉扉は左右一対設けられ、該開閉扉内に前記電気的駆動手段により可動する可動体を配設し、該可動体が開いた両開閉扉の間から突出するようにしたことを特徴とする。
このため、大きな可動体を遊技者の目前に出現させることができる。
【００１１】
また、本発明は上記演出装置において、前記開閉扉に連動して開閉動する天板を設けたことを特徴とする。
このように、天板を設けることで可動体を上方にも突出させることができ、いっそうインパクトのある演出が可能となる。
また、本発明は上記演出装置において、前記開閉扉に連動するサブ可動体を設けたことを特徴とする。
サブ可動体を設けることで、可動体の動きをさらに巧妙なものにすることができる。
【発明の効果】
【００１２】
本発明に係る演出装置では、開閉扉を最大限大きく開くようにできるので、演出効果を増大させることができる。また、遊技者等が開閉扉を力ずくで開閉しても電気的駆動手段等が破損することがないとともに、開閉扉が開閉中に何物かに衝突しても損傷を及ぼすことなく、遊技者が手を挟んで怪我するといったこともないので安全である。
【図面の簡単な説明】
【００１３】
【図１】本発明に係る演出装置の開閉扉が閉じた状態の遊技機の斜視図。
【図２】本発明に係る演出装置の開閉扉が開いた状態の遊技機の斜視図。
【図３】本発明に係る演出装置の開閉扉が閉じた状態の斜視図。
【図４】本発明に係る演出装置の開閉扉が開いた状態の斜視図。
【図５】図４の演出装置の分解斜視図。
【図６】図５の演出装置の駆動部組体の分解斜視図。
【図７】図６とは見る方向を異ならせた駆動部組体の分解斜視図。
【図８】本発明に係る演出装置の開閉扉の分解斜視図。
【図９】図８とは見る方向を異ならせた開閉扉の分解斜視図。
【図１０】本発明に係る演出装置の要部の斜視図。
【図１１】図１０に示した演出装置の要部の作動状態を示した斜視図。
【図１２】本発明に係る演出装置の開閉扉の作動状態を示す水平断面図。
【発明を実施するための形態】
【００１４】
次に本発明をパチンコ遊技機の実施形態について図面に従い説明する。図１に示したパチンコ遊技機は、縦長方形枠状の機枠１の一側縁に開閉可能に軸支された本体枠内に遊技盤２が固定され、該遊技盤２の前面を覆うように該本体枠に透明板保持枠３が開閉可能に軸支され、該透明板保持枠３の上部に本発明に係る演出装置５を設けている。なお、遊技盤２の前面には打球誘導レール，液晶ディスプレイ，入賞装置等が取着され、該液晶ディスプレイ、入賞装置、および、本発明に係る演出装置５等は、前記遊技盤２の裏面に設けられた遊技制御回路基板によってその作動が制御される。また、透明板保持枠３の前面下部には、球受皿６，打球発射用操作ハンドル７等が設けられている。
【００１５】
本発明に係る演出装置５は、カバーケース２０の前面両側に一対の開閉扉５０ａ，５０ｂが開閉可能なるように軸支され、該カバーケース２０の天井面に天板７０が開閉可能なるように軸支され、前記遊技制御回路基板から所定の信号を受けると、図２に示したように、該開閉扉５０ａ，５０ｂが前方で左右側方に向けて開き、天板７０が上方に開いて、該カバーケース２０の内部に収納されていた大型の可動体（キャラクタ）７１が前方に突出する。
【００１６】
図３は上記カバーケース２０および可動体７１を取り除いた演出装置５の内部構造を示し、図４には開閉扉５０ａ，５０ｂおよび天板７０を開状態として示す。また、図５には該演出装置５の分解斜視図を示す。該演出装置５は、鋼板を曲げ加工した組付基板２１が水平に支持され、該組付基板２１の下側に電気的駆動手段となる一対の駆動部組体２２ａ，２２ｂが所定間隔を置いて固定され、該組付基板２１の両端部に開閉扉５０ａ，５０ｂを回転可能に支持する軸支体２３ａ，２３ｂを固設してなる。なお、この演出装置５の構造は左右対称であるので、図６，図７に一方の駆動部組体２２ａの分解斜視図を示す。
【００１７】
図６，図７に示したように、駆動部組体２２ａは、プレス加工された鋼板製の支持基板２４と、該支持基板２４の外側面に固着されるプラスチック製の第１ケース体２５と、該第１ケース２５と合致するプラスチック製の第２ケース体２６と、支持基板２４の内側面に固着されるプラスチック製の組付板体２７と、扉開閉用の小アーム２８および大アーム２９と、前記可動体７１が取着される取付用部材３０と、サブ可動体５７を備えている。前記第１ケース体２５と第２ケース体２６の間には減速機構が構成されるように大小の伝動歯車３１〜３７が互いに噛み合うように軸支されて収納される。なお、第１ケース体２５および第２ケース体２６には該伝動歯車３１〜３７を回転自在に支持するための複数の軸および透孔が形成され、前記支持基板２４には多数の軸孔が形成されている。組付板体２７には駆動源であるモータ３８が奥部に固設され、該モータ３８の回転軸に前記伝動歯車３１が嵌着され、該伝動歯車３１に伝達された回転動力は伝動歯車３２から伝動歯車３５に伝達されるに従って減速され、さらにその動力が伝動歯車３６から伝動歯車３７へと伝達される。そして先端部の伝動歯車３７の回転軸３７ａの外方端に前記小アーム２８が固着され、該回転軸３７ａの内方端に前記取付用部材３０が固着される。また、前記大アーム２９は一端に形成された軸部４０を第２ケース体２６の上縁部に形成された軸孔４０ａに貫挿して軸支することにより前記小アーム２８の後側に揺動自在に支持される。前記小アーム２８の先端部には大アーム２９に当接し得るローラ４１が設けられ、前記大アーム２９の先端部に後述する開閉仲介部材５９ａに当接し得るローラ４２が設けられている。なお、第２ケース体２６の外側面に小アーム２８に摺接しガイドする円弧状レール４３、および、大アーム２９に摺接しガイドする円弧状レール４４が一体に形成されている。
【００１８】
また、組付板体２７に円弧状の溝形レール４５が一体に形成され、該溝形レール４５の両端部に凸部４６，４７を形成している。また、該溝形レール４５の外側縁に鈎状のガイド片４８が固設されている。また、第２ケース体２６に取着された光学センサ４９が組付板体２７に形成された開口５０を貫通して前記凸部４６付近に設定され、前記取付用部材３０の回転状況が該光学センサ４９により検知されるようにしている。なお、取付用部材３０の一端部には前記天板７０を開閉作動させるためのローラ５１が設けられている。また、溝形レール４５の内側に円弧状のバネ室５２が形成され、該バネ室５２の一端に形成された係合部５３にコイル状バネ５４の一端を係合することで該コイル状バネ５４を該バネ室５２に収容し、後述するように該コイル状バネ５４の他端を前記天板７０に係合することで該天板７０が閉方向に付勢されるようにする。
【００１９】
第２ケース体２６の先端部２６ａ，２６ｂは前方に突出する形状に形成され、開閉扉５０ａ，５０ｂが閉じた際に該開閉扉５０ａ，５０ｂ裏面に形成された平面部５５が該先端部２６ａ，２６ｂに当接して閉止する。また、第１ケース体２５の前縁部にコ字形の切込部５６が形成され、該切込部５６にサブ可動体５７が出没自在に遊嵌され、該サブ可動体５７の上縁部に形成されたラック歯５８が前記伝動歯車３７に噛合されるようにしている。このため、該伝動歯車３７が回転すると、該サブ可動体５７が該切込部５６に沿って前方に進退運動をする。なお、該サブ可動体５７は可動体７１の一部（例えば図２に示したキャラクタであるライオンの顎など）に連結することで、これを可動し得るようにする。
【００２０】
次に、前記軸支体２３ａ，２３ｂに開閉仲介部材５９ａ，５９ｂを介して開閉扉５０ａ，５０ｂを枢着する構造を図８，図９に従い一方の軸支体２３ａ，開閉仲介部材５９ａ，開閉扉５０ａについて説明する。軸支体２３ａは、先端部に軸受片２３ｃ，２３ｄを形成するとともに、該軸受片２３ｃ，２３ｄ間にバネ止部材２３ｅ，２３ｆを固着してなる。開閉扉５０ａは、裏面の一側縁寄りに形成された取付部５０ｃに軸支金具６０をビス止めし、該軸支金具６０には軸受片６０ｃ，６０ｄが形成され、該軸受片６０ｃ，６０ｄの外周縁に凸縁６０ｅ，６０ｆを形成してなる。そして該軸受片６０ｃ，６０ｄ間にバネ止を兼ねたストッパ片６０ｇ，６０ｈを固着してなる。また、開閉仲介部材５９ａ，５９ｂは、成形金具５９ｅと、該成形金具５９ｅの略中間に固着されたプラスチック製の受板部５９ｆとからなり、該成形金具５９ｅの上端部に軸受片５９ｃが形成され下端部に軸受片５９ｄが形成され、該軸受片５９ｃの外周縁に凸縁５９ｇと起立片５９ｈが形成され、該軸受片５９ｄの外周縁に凸縁５９ｉと起立片５９ｊが形成されている。そして、該成形金具５９ｅの該軸受片５９ｃと軸受片５９ｄの近くに、バネ止を兼ねたストッパ片５９ｋ，５９ｌを固着してなる。
【００２１】
また、丸棒状の支軸６１の外周に第１弾性部材であるコイル状の巻バネ６２ａ，６２ｂ、および、第２弾性部材であるコイル状の巻バネ６３ａ，６３ｂを配設し、該支軸６１の上端部をワッシャ６４ａ，６４ｂを介在させたうえで前記軸受片２３ｃ，軸受片５９ｃ，軸受片６０ｃに貫挿し、該支軸６１の下端部をワッシャ６４ｃ，６４ｄを介在させたうえで前記軸受片２３ｄ，軸受片５９ｄ，軸受片６０ｄに貫挿し、該支軸６１の上端および下端に抜止用のＥリング６５ａ，６５ｂを固着する。これにより、支軸６１を介して開閉扉５０ａが軸支体２３ａに回転可能なるように連結されるとともに、開閉仲介部材５９ａは該支軸６１を介して該開閉扉５０ａに対し相対的に回転可能なるように連結される。
そして、巻バネ６２ａ，６２ｂの一端を前記ストッパ片６０ｇ，６０ｈに係止し、該巻バネ６２ａ，６２ｂの他端を前記ストッパ片５９ｋ，５９ｌに係止し、該巻バネ６２ａ，６２ｂの弾性により開閉扉５０ａを閉方向に付勢する。即ち、第１弾性部材である巻バネ６２ａ，６２ｂは、開閉扉５０ａと開閉仲介部材５９ａとの間に設けられていて該開閉扉５０ａを閉方向に付勢している。この付勢により、図１２に実線で示したように、ストッパ片６０ｇ，６０ｈとストッパ片５９ｋ，５９ｌとが当接し、そのとき、平面視で開閉扉５０ａと前記受板部５９ｆとが略々直交状に維持されるようにしている。
【００２２】
また、前記巻バネ６３ａ，６３ｂの一端を前記ストッパ片５９ｋ，５９ｌに係止し、該巻バネ６３ａ，６３ｂの他端を前記バネ止部材２３ｅ，２３ｆに係止し、該巻バネ６３ａ，６３ｂの弾性により開閉仲介部材５９ａを介して開閉扉５０ａが開方向に付勢されるようにする。このように開閉扉５０ａ及び開閉仲介部材５９ａが該巻バネ６３ａ，６３ｂの付勢力によって開動した際に、前記凸縁５９ｇ，５９ｉが前記軸支体２３ａの端縁２３ｇに当接して停止する。この当接した状態が開閉扉５０ａの開き角度を機枠のサイズ（遊技機の幅寸法）を超えて大きく設定した最大開動限となる。
なお、第２弾性部材である巻バネ６３ａ，６３ｂは、第１弾性部材である巻バネ６２ａ，６２ｂよりも弱い（柔軟）であり、開閉扉５０ａが常に弱い力で（開閉仲介部材５９ａを介して）開方向に付勢されるようにしている。言い換えれば、開閉扉５０ａと開閉仲介部材５９ａとは第１弾性部材により常には強い力でストッパ片６０ｇ，６０ｈとストッパ片５９ｋ，５９ｌとを当接させていて、該開閉扉５０ａと受板部５９ｆとが略々直交状に維持される。そして該第１弾性部材は、該開閉扉５０ａを強制的に開けようとする強い外力に対しては弾性変形し得る。
なお、図１０，図１１は、作動状況を見え易くするために開閉扉５０ａの記載を省略し、該開閉扉５０ａに設けられているストッパ片６０ｇ，６０ｈおよび軸受片６０ｃ，６０ｄのみを図示し、図１０は該開閉扉５０ａが閉状態であるときを示し、図１１は該開閉扉５０ａが開状態であるときを示す。
【００２３】
また、天板７０は図５に示したように平板状に形成され、該天板７０の後側縁の両端部下面に一対の円弧状板７１ａ，７１ｂが固設され、該円弧状板７１ａ，７１ｂに円弧状部７２ｃと鈎状部７２ｄとからなるガイド溝７２が形成され、該ガイド溝７２に前記ローラ５１を遊嵌するとともに、該円弧状板７１ａ，７１ｂの外側面部に小ローラ７３、小ローラ７４および係合部７５を突設し、該小ローラ７３および小ローラ７４を前記溝形レール４５に遊嵌し、該円弧状板７１ａ，７１ｂの外周縁を前記ガイド片４８に摺接させることで、天板７０が該溝形レール４５に沿って回転し得るようにするとともに、前記コイル状バネ５４の他端を該係合部７５に係合することで、該コイル状バネ５４の弾性により該天板７０を閉方向に付勢している。
【００２４】
このように構成した演出装置では、常態では図１０に示したように小アーム２８のローラ４１が大アーム２９を後方に押圧し、該大アーム２９に設けられたローラ４２が前記受板部５９ｆを後方に押圧していることから、開閉扉５０ａ，５０ｂは第２弾性部材である巻バネ６３ａ，６３ｂの弾性に抗して閉状態にあり、天板７０はコイル状バネ５４の弾性により閉状態となり、図１に示したように可動体７１は内部に隠されている。なお、この閉状態であるとき前記取付用部材３０は前記凸部４６に突き当たるとともに、該取付用部材３０が前記光学センサ４９の光を遮断することにより前記モータ３８を回転停止させている。
【００２５】
そして、例えば大当たりが発生した際などの特定時に遊技制御回路基板から発信される信号により前記モータ３８が作動すると、該モータ３８が伝動歯車３１〜３７を介して回転軸３７ａを回転させ、該回転軸３７ａに設けられた小アーム２８および取付用部材３０を前方に回転させ、図１１に示したように、該小アーム２８に設けられたローラ４１が大アーム２９から離れ、該大アーム２９に設けられたローラ４２は受板部５９ｆへの押圧を解くべく後退することから、開閉扉５０ａ，５０ｂは第２弾性部材である巻バネ６３ａ，６３ｂの弾性によって次第に開状態になると同時に、取付用部材３０が前方に回転することで該取付用部材３０に取着された可動体（キャラクタ）７１が開いた両開閉扉５０ａ，５０ｂの間から前方に突出する。なお、該取付用部材３０は前記凸部４７に突き当たることで回転が停止する。
また、該取付用部材３０が回転すると、前記ローラ５１が前記ガイド溝７２の円弧状部７２ｃ中を移動した後に鈎状部７２ｄに至ることから該ローラ５１が該鈎状部７２ｄに係合し、天板７０をコイル状バネ５４の弾性に抗して上方に開かせ、その開口部から可動体７１を上方にも突出させる。
さらに、前記伝動歯車３７が回転することによっては、前記サブ可動体５７が前方に進出することから、可動体７１の一部（例えば、キャラクタであるライオンの口など）を該サブ可動体５７によって可動するようにすることで、該可動体７１の動きを巧妙なものにすることができる。
【００２６】
なお、開閉扉５０ａ，５０ｂはこのように第２弾性部材の弾性によって開くようにしたことから、隣接する遊技機間に設けられた分煙ボードのような障害物に当たっても衝撃を与えることなく、障害物を強く押圧するようなこともないので、傷が付くことがない。また、該開閉扉５０ａ，５０ｂの開き角度を障害物に当たるまで最大限に大きく設定することができる。このため、個々の遊技場の遊技機の設置状況、即ち、隣接する遊技機が開閉扉を備えものであるかどうか、又は、分煙ボードが設置されているかどうか等に関わらず、開閉扉を最大限の開放角度で大きく開くことができ、可動体７１を遊技者の目前に大きく突出させることで、インパクトのある演出をすることが可能となる。
なお、図示しないが、開閉扉５０ａ，５０ｂの外面は勿論、内面にＬＥＤ等の電飾装置、又は可動演出部材等を設けることによっては、さらに演出効果を高めることも可能となる。
【００２７】
また、例えば大当たりの期間が終了し、遊技制御回路基板からの指令によりモータ３８を逆回転させると、可動体７１は引っ込み、サブ可動体５７は後退し、図１０に示した状態に戻り、前記ローラ４２が前記受板部５９ｆを押圧することにより開閉扉５０ａ，５０ｂは閉じる。また、天板７０は前記ローラ５１が鈎状部７２ｄから抜けるとともに前記コイル状バネ５４の弾性により円弧状板７１ａ，７１ｂが引っ張られることにより閉じて、図１に示した状態に戻る。
このとき開閉扉５０ａ，５０ｂは、図１２にも示したように、ローラ４２（電気的駆動手段の一部）が開閉仲介部材５９ａ，５９ｂの受板部５９ｆを押圧することにより閉状態に保持されるので、該開閉扉５０ａ，５０ｂがこのように閉状態にあるときに、遊技者が興味本位で該開閉扉５０ａ，５０ｂを力ずくで開けようとすると、第１弾性部材である巻バネ６２ａ，６２ｂが弾性変形することにより、該開閉扉５０ａ，５０ｂは図１２に矢印および２点鎖線で示したように開く。（ストッパ片６０ｇ，６０ｈとストッパ片５９ｋ，５９ｌとは離間する）。また、遊技者が開閉扉５０ａ，５０ｂから手を離せば該巻バネ６２ａ，６２ｂの弾性により該開閉扉５０ａ，５０ｂは自然と閉じる。このように本発明では、閉状態にある開閉扉５０ａ，５０ｂに強制的に開けようとする外力が加わると、第１弾性部材が弾性変形することにより、該開閉扉５０ａ，５０ｂは開き得るので、ローラ４２，アーム２９，ローラ４１，アーム２８，伝動歯車３１〜３７等の電気的駆動手段に無理な力が掛かることなく、これらの破損を免れることができる。なお、開閉扉５０ａ，５０ｂが強制的に最大限開かれたとき、前記凸縁６０ｅ，６０ｆが前記起立片５９ｈ，起立片５９ｊに当接する。
【００２８】
また、前記電気的駆動手段の作動によって開閉扉５０ａ，５０ｂが開閉動しているときに遊技者が手を差し出したとしても、該開閉扉５０ａ，５０ｂは、前記第１弾性部材または第２弾性部材によって開方向にも閉方向にも柔軟に動き得るので、該開閉扉５０ａ，５０ｂに手が挟まれて怪我をするといった危険がなく、常に安全性が保たれる。
このため、本発明によれば、演出効果が顕著で、破損し難く、安全性が高いなど、有益な演出装置を提供することができる。
なお、この実施形態では、一対の開閉扉５０ａ，５０ｂが開閉可能なるようにしたが、一方の開閉扉だけを単体で設けることも可能である。
また、この実施形態では、開閉扉５０ａ，５０ｂを支軸６１によって回転可能に軸支した構造を説明したが、開閉扉を引き戸のように左右にスライドさせる構造を採用することもできる。その場合でも弾性部材により該開閉扉をこの実施形態で説明した方向に付勢することにより、該開閉扉を大きく開くようにできる。また、開閉扉が外力によって強制的に開けられても破損を免れるようにすることができる。
【符号の説明】
【００２９】
１…機枠、    ２…遊技盤、    ３…透明板保持枠、    ５…演出装置、    ６…球受皿、    ７…打球発射用操作ハンドル、    ２０…カバーケース、    ２１…組付基板、    ２２ａ，２２ｂ…電気的駆動手段（駆動部組体）、    ２３ａ，２３ｂ…軸支体、    ２３ｃ，２３ｄ…軸受片、    ２３ｅ，２３ｆ…バネ止部材、    ２３ｇ…端縁、    ２４…支持基板、    ２５…第１ケース体、    ２６…第２ケース体、    ２６ａ，２６ｂ…先端部、    ２７…組付板体、    ２８…小アーム、    ２９…大アーム、    ３０…取付用部材、    ３１〜３７…伝動歯車、    ３７ａ…回転軸、    ３８…モータ、    ４０…軸部、    ４０ａ…軸孔、    ４１…ローラ、    ４２…ローラ、    ４３…円弧状レール、    ４４…円弧状レール、    ４５…溝形レール、    ４６，４７…凸部、    ４８…ガイド片、    ４９…光学センサ、    ５０…開口、    ５０ａ，５０ｂ…開閉扉、    ５０ｃ…取付部、    ５１…ローラ、    ５２…バネ室、    ５３…係合部、    ５４…コイル状バネ、    ５５…平面部、    ５６…切込部、    ５７…サブ可動体、    ５８…ラック歯、    ５９ａ，５９ｂ…開閉仲介部材、    ５９ｃ，５９ｄ…軸受片、    ５９ｅ…成形金具、    ５９ｆ…受板部、    ５９ｇ，５９ｉ…凸縁、    ５９ｈ，５９ｊ…起立片、    ５９ｋ，５９ｌ…ストッパ片、    ６０…軸支金具、    ６０ｃ，６０ｄ…軸受片、    ６０ｅ，６０ｆ…凸縁、    ６０ｇ，６０ｈ…ストッパ片、    ６１…支軸、    ６２ａ，６２ｂ…第１弾性部材（巻バネ）、    ６３ａ，６３ｂ…第２弾性部材（巻バネ）、    ６４ａ，６４ｂ，６４ｃ，６４ｄ…ワッシャ、    ６５ａ，６５ｂ…Ｅリング、    ７０…天板、    ７１…可動体（キャラクタ）、    ７１ａ，７１ｂ…円弧状板、    ７２…ガイド溝、    ７２ｃ…円弧状部、    ７２ｄ…鈎状部、    ７３，７４…小ローラ
【図１】
0006542083.tif 000002
【図２】
0006542083.tif 000003
【図３】
0006542083.tif 000004
【図４】
0006542083.tif 000005
【図５】
0006542083.tif 000006
【図６】
0006542083.tif 000007
【図７】
0006542083.tif 000008
【図８】
0006542083.tif 000009
【図９】
0006542083.tif 000010
【図１０】
0006542083.tif 000011
【図１１】
0006542083.tif 000012
【図１２】
0006542083.tif 000013